(57)【要約】【課題】選択肢が残された規格に準拠した証明書からの情報の読み取りに優れた証明書読取システムを提供すること。【解決手段】証明書読取システムは、情報を記憶した集積回路及び情報が印字された情報印字領域を有する証明書の前記情報印字領域から情報を読み取る第１の読取手段と、前記第１の読取手段により読み取られた情報に基づき前記集積回路に記憶された情報の読取制御に必要な制御情報を取得し、取得された制御情報に基づき前記集積回路との通信を制御する制御手段と、前記制御手段の通信制御により、通信形態を切り替えて、前記集積回路に記憶された情報を読み取る第２の読取手段とを備えている。【選択図】図１
2007249799.tif 000002
【特許請求の範囲】
【請求項１】
情報を記憶した集積回路及び情報が印字された情報印字領域を有する証明書の前記情報印字領域から情報を読み取る第１の読取手段と、
前記第１の読取手段により読み取られた情報から得られる制御情報に基づく制御部からの通信制御により、通信形態を切り替えて、前記集積回路に記憶された情報を読み取る第２の読取手段と、
を備えたことを特徴とする証明書読取装置。
【請求項２】
前記第２の読取手段は、前記集積回路側のアンテナと通信するためのアンテナを有し、前記制御情報に含まれる前記集積回路の位置情報に基づく前記制御部からのアンテナ位置の切り替え制御により、前記第２の読取手段側のアンテナの位置を切り替えて、前記集積回路に記憶された情報を読み取ることを特徴とする請求項１に記載の証明書読取装置。
【請求項３】
前記第２の読取手段は、前記集積回路側のアンテナと通信するための異なる配置の第１及び第２のアンテナを有し、前記制御情報に含まれる前記集積回路の第１の位置情報に基づく前記制御部からのアンテナ位置の第１の切り替え制御により、前記第１のアンテナを選択して、前記集積回路に記憶された情報を読み取り、前記制御情報に含まれる前記集積回路の第２の位置情報に基づく前記制御部からのアンテナ位置の第２の切り替え制御により、前記第２のアンテナを選択して、前記集積回路に記憶された情報を読み取ることを特徴とする請求項１に記載の証明書読取装置。
【請求項４】
前記第２の読取手段は、前記制御情報に含まれる暗号化設定情報に基づく前記制御部からの暗号化通信方式又は非暗号化通信方式の選択制御により、暗号化通信方式又は非暗号化通信方式を選択し、選択した通信方式により前記集積回路に記憶された情報を読み取ることを特徴とする請求項１、２、又は３に記載の証明書読取装置。
【請求項５】
前記第２の読取手段は、前記制御情報に含まれる情報読取設定情報に基づき一括情報読取方式又は分割情報読取方式を選択し、選択した読取方式により前記集積回路に記憶された情報を読み取ることを特徴とする請求項１、２、３、又は４に記載の証明書読取装置。
【請求項６】
情報を記憶した集積回路及び情報が印字された情報印字領域を有する証明書の前記情報印字領域から情報を読み取る第１の読取手段と、
前記第１の読取手段により読み取られた情報に基づき前記集積回路に記憶された情報の読取制御に必要な制御情報を取得し、取得された制御情報に基づき前記集積回路との通信を制御する制御手段と、
前記制御手段の通信制御により、通信形態を切り替えて、前記集積回路に記憶された情報を読み取る第２の読取手段と、
を備えたことを特徴とする証明書読取システム。
【請求項７】
前記制御手段は、前記第１の読取手段により読み取られた情報を認識し、この情報に含まれる国情報に基づき前記集積回路の位置情報を取得し、取得された位置情報に基づきアンテナ位置の切り替えを制御し、
前記第２の読取手段は、前記集積回路側のアンテナと通信するためのアンテナを有し、前記制御手段からのアンテナ位置の切り替え制御により、前記第２の読取手段側のアンテナの位置を切り替えて、前記集積回路に記憶された情報を読み取る、
ことを特徴とする請求項６に記載の証明書読取システム。
【請求項８】
前記制御手段は、前記第１の読取手段により読み取られた情報を認識し、この情報に含まれる国情報に基づき前記集積回路の第１又は第２の位置情報を取得し、取得された第１の位置情報に基づきアンテナ位置の第１の切り替えを制御し、取得された第２の位置情報に基づきアンテナ位置の第２の切り替えを制御し、
前記第２の読取手段は、前記集積回路側のアンテナと通信するための異なる配置の第１及び第２のアンテナを有し、前記制御手段からのアンテナ位置の第１の切り替え制御により、前記第１のアンテナを選択して、前記集積回路に記憶された情報を読み取り、前記制御手段からのアンテナ位置の第２の切り替え制御により、前記第２のアンテナを選択して、前記集積回路に記憶された情報を読み取る、
ことを特徴とする請求項６に記載の証明書読取システム。
【請求項９】
前記制御手段は、前記第１の読取手段により読み取られた情報を認識し、この情報に含まれる国情報及び発行年月日情報に基づき前記集積回路の位置情報を取得し、取得された位置情報に基づきアンテナ位置の切り替えを制御することを特徴とする請求項７に記載の証明書読取システム。
【請求項１０】
前記制御手段は、前記第１の読取手段により読み取られた情報を認識し、この情報に含まれる国情報に基づき暗号化設定情報を取得し、取得された暗号化設定情報に基づき暗号化通信方式又は非暗号化通信方式の選択を制御し、
前記第２の読取手段は、前記制御手段からの暗号化通信方式又は非暗号化通信方式の選択制御により、暗号化通信方式又は非暗号化通信方式を選択し、選択した通信方式により前記集積回路に記憶された情報を読み取る、
ことを特徴とする請求項６、７、又は８に記載の証明書読取システム。
【請求項１１】
前記制御手段は、前記第１の読取手段により読み取られた情報を認識し、この情報に含まれる国情報及び発行年月日情報に基づき暗号化設定情報を取得し、取得された暗号化設定情報に基づき暗号化通信方式又は非暗号化通信方式の選択を制御することを特徴とする請求項１０に記載の証明書読取システム。
【請求項１２】
前記制御手段は、前記第１の読取手段により読み取られた情報を認識し、この情報に含まれる国情報に基づき情報読取設定情報を取得し、取得された情報読取設定情報に基づき一括情報読取方式又は分割情報読取方式の選択を制御し、
前記第２の読取手段は、前記制御手段からの一括情報読取方式又は分割情報読取方式の選択制御により、一括情報読取方式又は分割情報読取方式を選択し、選択した読取方式により前記集積回路に記憶された情報を読み取る、
ことを特徴とする請求項６、７、８、又は１０に記載の証明書読取システム。
【請求項１３】
前記制御手段は、前記第１の読取手段により読み取られた情報を認識し、この情報に含まれる国情報及び発行年月日情報に基づき情報読取設定情報を取得し、取得された情報読取設定情報に基づき一括情報読取方式又は分割情報読取方式の選択を制御することを特徴とする請求項１２に記載の証明書読取システム。
【発明の詳細な説明】
【技術分野】
【０００１】
本発明は、旅券、運転免許証などの証明書、特にＩＣ（集積回路）を有するＩＣ証明書を読み取る証明書読取装置及び証明書読取システムに関する。
【背景技術】
【０００２】
旅券などの冊子には、製造時点から基体固有情報が付加されている。このような冊子に対して、画像データを転写する場合には、転写する画像データと基体固有情報との整合を取る必要があり、整合を取るための技術が提案されている（特許文献１参照）。
【０００３】
一方で、近年、よりセキュリティに優れたＩＣチップを備えた旅券（ＩＣ旅券）の実用化が進められている。ＩＣチップには、個人情報、例えば文字や生体情報（顔画像）などの情報が記録される。
【０００４】
ＩＣ旅券にはスキミング対策が講じられており、ＩＣ旅券に搭載されたＩＣチップに記憶された情報をダイレクトに読み取ることはできない。ＩＣ旅券には、ＩＣチップに記憶された情報以外に、ＩＣ旅券の所定ページには各種情報が印字記録されている。この印字情報を光学的に読み取り、読み取った情報からアクセスキーを生成し、このアクセスキーによりＩＣチップへのアクセスが許可される。つまり、ＩＣ旅券の所定ページを開いて、印字情報を読み取ってからでないと、ＩＣチップに記憶された情報を読み取ることができないようになっている。このようなアクセス制限は、基本アクセスコントロールと呼ばれ、先進国を中心に採用が予定されている。
【特許文献１】特開２００４−１６７８２９
【発明の開示】
【発明が解決しようとする課題】
【０００５】
ところが、ＩＣ旅券は、所定の規格に準拠するよう定められているが、その規格は画一的なものではなく、その規格に対する選択肢が残された形となっており、選択肢については各発行国の裁量に任されている。これにより、ＩＣ旅券からの情報の読み取りがスムーズに行なえないなどの問題が予想される。
【０００６】
本発明の目的は、上記課題を解決するためになされたものであり、選択肢が残された規格に準拠した証明書からの情報の読み取りに優れた証明書読取装置及び証明書読取システムを提供することにある。
【課題を解決するための手段】
【０００７】
この発明の証明書読取装置及び証明書読取システムは、以下のように構成されている。
【０００８】
（１）この発明の証明書読取装置は、情報を記憶した集積回路及び情報が印字された情報印字領域を有する証明書の前記情報印字領域から情報を読み取る第１の読取手段と、前記第１の読取手段により読み取られた情報から得られる制御情報に基づく制御部からの通信制御により、通信形態（アンテナ位置、暗号化方式、読取方式）を切り替えて、前記集積回路に記憶された情報を読み取る第２の読取手段とを備えている。
【０００９】
（２）この発明の証明書読取システムは、情報を記憶した集積回路及び情報が印字された情報印字領域を有する証明書の前記情報印字領域から情報を読み取る第１の読取手段と、前記第１の読取手段により読み取られた情報に基づき前記集積回路に記憶された情報の読取制御に必要な制御情報を取得し、取得された制御情報に基づき前記集積回路との通信を制御する制御手段と、前記制御手段の通信制御により、通信形態を切り替えて、前記集積回路に記憶された情報を読み取る第２の読取手段とを備えている。
【発明の効果】
【００１０】
本発明によれば、選択肢が残された規格に準拠した証明書からの情報の読み取りに優れた証明書読取装置及び証明書読取システムを提供できる。
【発明を実施するための最良の形態】
【００１１】
以下、図面を参照し、本発明の実施形態について説明する。
【００１２】
図１は、本発明の第１の実施形態に係る旅券読取システムの概略構成を示すブロック図である。旅券読取システム１００は、ＩＣ旅券２００、３００に印字記録された情報、及びＩＣ旅券２００、３００に搭載されたＩＣチップに記憶された情報を読み取る。旅券読取システム１００は、パーソナルコンピュータなどの制御部１１０及び旅券読取装置１２０を備えている。
【００１３】
旅券読取装置１２０は、カメラ１２１及びＩＣリーダ１２２により構成されている。カメラ１２１は、ＩＣ旅券２００、３００の所定ページ（パーソナルデータページ）に印字記録された各種情報を読み取る。カメラ１２１により読み取られた画像データは、制御部１１０に転送される。制御部１１０は、画像データに含まれる文字や数字等を認識する機能を備えており、転送された画像データに含まれる文字や数字等を認識し、認識結果に基づきＩＣ旅券２００、３００のＩＣチップに記憶された情報の読取制御に必要な制御情報を取得し、取得された制御情報に基づきＩＣ旅券２００、３００のＩＣチップとの通信（無線通信）を制御する。ＩＣリーダ１２２は、第１のアンテナ１２２ａ及び第２のアンテナ１２２ｂを備えており、制御部１１０の制御に基づき通信形態（後述するアンテナ位置、暗号化方式、読取方式）を切り替えて、ＩＣ旅券２００、３００のＩＣチップに記憶された情報を読み取る。制御部１１０の制御に基づく通信形態の切り替えの詳細については後述する。
【００１４】
図２は、本発明の第２の実施形態に係る旅券読取システムの概略構成を示すブロック図である。第１の実施形態に係る旅券読取システムは、制御部１１０により文字や数字等を認識するケースについて説明したが、第２の実施形態に係る旅券読取システムは、カメラ１２１が文字や数字等を認識する機能を備えており、カメラ１２１において読み取った画像データに含まれる文字や数字等を認識し、認識結果を制御部１１０へ送信する。その他の基本構成については、両実施形態において共通である。
【００１５】
図３は、ＩＣ旅券の一例を示す図である。図３に示すように、ＩＣ旅券２００（３００）は、冊子状になっており、表紙２０１（３０１）、パーソナルデータページ２０２（３０２）、センターページ２０３（３０３）、裏表紙２０４（３０４）を備えている。ＩＣチップを保護したプラスチック製のＩＣカードは、表紙２０１（３０１）、パーソナルデータページ２０２（３０２）、センターページ２０３（３０３）、又は裏表紙２０４（３０４）のいずれかに取り付けられる。
【００１６】
図４は、ＩＣ旅券２００（３００）のパーソナルデータページ２０２（３０２）の一例を示す図である。パーソナルデータページ２０２（３０２）には、パーソナルデータが印字記録されている。パーソナルデータには、例えば、国籍、旅券番号、氏名、生年月日、性別、発行年月日、有効期限、カラー又はモノクロの顔画像等の情報が含まれる。また、パーソナルデータページ２０２（３０２）にはＯＣＲ読取領域２０２ａ（３０２ａ）が設けられており、ＯＣＲ読取領域２０２ａ（３０２ａ）には上記したパーソナルデータが記録されている。
【００１７】
図５は、ＩＣ旅券２００（３００）に取り付けられるＩＣチップに記録される情報の一例を示す図である。旅券番号は、ＩＣ旅券２００（３００）の発行管理番号にあたり、通常はシリアルでユニークな番号が付与される。発行者が記録する情報には、国籍、氏名、生年月日、性別、発行年月日、有効期限、顔画像、電子署名、公開鍵証明書がある。国籍、氏名、生年月日、性別は、ＩＣ旅券２００（３００）の申請者（所持者）の個人情報である。発行年月日は、このＩＣ旅券２００（３００）を発行した日である。有効期限は、このＩＣ旅券２００（３００）が有効な年月日であり、通常は発行年月日から５年あるいは１０年といった期限である。顔画像は、パーソナルデータページ２０２（３０２）に印刷された顔画像と同一の顔画像データである。電子署名は、「旅券番号」から「顔情報」までのデータの圧縮情報（ハッシュ情報）を秘密鍵で暗号化した電子署名である。公開鍵証明書は、電子署名を作成した際に使用した秘密鍵とペアになる公開鍵の証明書である。
【００１８】
図６は、旅券読取システム１００を構成する旅券読取装置１２０の概略構成を示す図である。図６（ａ）は旅券読取装置１２０に対してＩＣ旅券２００、３００が載置されていない状態を示し、図６（ｂ）は旅券読取装置１２０に対してＩＣ旅券２００が載置されている状態を示し、図６（ｃ）は旅券読取装置１２０に対してＩＣ旅券３００が載置されている状態を示す。
【００１９】
ＩＣ旅券２００は、ＩＣチップを保護したプラスチック製のＩＣカード２１０及びＩＣアンテナ２１０ａを備えている。ＩＣ旅券２００のパーソナルデータページ２０２（ＯＣＲ読取領域２０２ａ含む）を開いたとき、パーソナルデータページ２０２と異なるサイドにＩＣカード２１０及びＩＣアンテナ２１０ａが位置する（図６（ｂ）参照）。一方のＩＣ旅券３００も、ＩＣカード３１０及びＩＣアンテナ３１０ａを備えている。ＩＣ旅券３００のパーソナルデータページ３０２（ＯＣＲ読取領域３０２ａ含む）を開いたとき、パーソナルデータページ３０２と同じサイドにＩＣカード３１０及びＩＣアンテナ３１０ａが位置する（図６（ｃ）参照）。
【００２０】
旅券読取装置１２０は、第１情報読取面１２０ａ及び第２情報読取面１２０ｂを備えている。第１情報読取面１２０ａに対向して、ＩＣ旅券２００のＩＣアンテナ２１０ａと通信するＩＣリーダ１２２の第１のアンテナ１２２ａが設けられている。また、第２情報読取面１２０ｂに対向して、ＩＣ旅券３００のＩＣアンテナ３１０ａと通信するＩＣリーダ１２２の第２のアンテナ１２２ｂが設けられている。さらに、第２情報読取面１２０ｂに対向して、ＩＣ旅券２００のＯＣＲ読取領域２０２ａ又はＩＣ旅券３００のＯＣＲ読取領域３０２ａに記録されたパーソナルデータを光学的に読み取るカメラ１２１が配置されている。つまり、第２情報読取面１２０ｂの少なくともカメラ１２１との対向面は、光透過部材で構成されている。
【００２１】
また、第１情報読取面１２０ａと第２情報読取面１２０ｂが成す角度θは、旅券２００、３００を図６（ｂ）、図６（ｃ）に示すように載置したときに、旅券２００、３００がずれ落ちない角度に設定されている。さらに、旅券２００、３００がずれ落ちを防止するために、第１情報読取面１２０ａ及び第２情報読取面１２０ｂには、エンボス加工等が施されている。
【００２２】
上記した旅券読取装置１２０及びＩＣ旅券２００、３００の構成から、ＩＣ旅券２００については、図６（ｂ）に示すように、旅券読取装置１２０に載置することにより、カメラ１２１とＩＣ旅券２００のＯＣＲ読取領域２０２ａとが向かい合い、カメラ１２１によりＩＣ旅券２００のＯＣＲ読取領域２０２ａに記録されたパーソナルデータを読み取ることができる。しかも、ＩＣリーダ１２２の第１のアンテナ１２２ａとＩＣ旅券２００のＩＣカード２１０のＩＣアンテナ２１０ａとが向かい合うので、ＩＣリーダ１２２によりＩＣ旅券２００のＩＣカード２１０に記録された情報を読み取ることもできる。
【００２３】
一方のＩＣ旅券３００については、図６（ｃ）に示すように、旅券読取装置１２０に載置することにより、カメラ１２１とＩＣ旅券３００のＯＣＲ読取領域３０２ａとが向かい合い、カメラ１２１によりＩＣ旅券３００のＯＣＲ読取領域３０２ａに記録されたパーソナルデータを読み取ることができる。しかも、ＩＣリーダ１２２の第２のアンテナ１２２ｂとＩＣ旅券３００のＩＣカード３１０のＩＣアンテナ３１０ａとが向かい合うので、ＩＣリーダ１２２によりＩＣ旅券３００のＩＣカード３１０に記録された情報を読み取ることもできる。
【００２４】
以上により、基本アクセスコントロールにスムーズに対応することができる。カメラ１２１によりＩＣ旅券２００のＯＣＲ読取領域２０２ａ又はＩＣ旅券３００のＯＣＲ読取領域３０２ａに記録されたパーソナルデータを読み取り、読み取った情報からアクセスキーを生成し、このアクセスキーを利用して、ＩＣリーダ１２２によりＩＣ旅券２００のＩＣカード２１０又はＩＣ旅券３００のＩＣカード３１０に記録された情報を読み取ることができる。なお、ＩＣリーダ１２２は、単体でも動作するが、ＬＡＮ等のネットワーク上に構成してもよい。
【００２５】
ＩＣ旅券は、所定の規格に準拠するよう定められているが、その規格は画一的なものではなく、その規格に対する選択肢が残された形となっている。例えば、ＩＣ旅券２００、３００のように、ＩＣカード２１０、３１０の挿入位置にばらつきが見られる。
【００２６】
そこで、ＩＣ旅券２００のパーソナルデータページ２０２のＯＣＲ読取領域２０２ａ又はＩＣ旅券３００のパーソナルデータページ３０２のＯＣＲ読取領域３０２ａに印字されている国籍コードから、ＩＣカード２１０、３１０の挿入位置を特定する。つまり、ＩＣ旅券のＩＣカードが、表紙、パーソナルデータページ、センターページ、裏表紙のいずれに挿入されているのかを判断して、最適な位置のアンテナ（第１のアンテナ１２２ａ又は第２の１２２ｂのいずれかに切り替えて）でＩＣ旅券に挿入されているＩＣカードから情報を読み取る。
【００２７】
さらに、以下に挙げる問題がある。
【００２８】
（１）同一発行国のＩＣ旅券でも発行された年代によりアンテナ位置が変更されることが有り得る。この場合、発行国を特定するだけではＩＣカードの挿入位置を特定できない。
【００２９】
（２）ＩＣ旅券の規格に対する選択肢の一つとして、ＩＣ旅券とＩＣリーダ間でアクセス制御と暗号化通信を行うことができる。これに対応するために、まず、非暗号化でアクセス制御認証を試し、エラーになった場合に初めて暗号化でアクセス認証する。しかし、エラーになる場合、通信性能が低下する。
【００３０】
（３）ＩＣ旅券の規格に対する選択肢の一つとして、ＩＣ旅券とＩＣリーダ間のデータ読み出しでは、オプションコマンドで一括読み出しして通信性能向上を図ることができる。これに対応するため、まず、拡張コマンドで読み出しを要求し、エラーになった場合に初めて標準の逐次読み出しコマンドを要求する。しかし、エラーになる場合、通信性能が低下する。
【００３１】
上記に限らず各国独自仕様、独自解釈部分がある場合は、国別に処理を切り替える必要がある。
【００３２】
そこで、本旅券読取システムでは、図７に示す各国対応情報（制御情報）を利用して、ＩＣ旅券の通信形態（アンテナ位置、暗号化方式、読取方式）を十分に特定した上で、通信を行なう。これにより、選択肢が残された規格に準拠したＩＣ旅券から効率良く情報を読み取ることができる。
【００３３】
各国対応情報は、例えば制御部１１０のメモリに記憶される。つまり、制御部１１０は、ＩＣ旅券２００のＯＣＲ読取領域２０２ａ又はＩＣ旅券３００のＯＣＲ読取領域３０２ａから読み取った国籍、発行年月日に基づき、図７に示す各国対応情報を参照して、通信形態（アンテナ位置、暗号化方式、読取方式）を特定し、ＩＣリーダ１２２の通信形態を制御する。
【００３４】
例えば、国籍コード「ＪＰＮ」で発行年月日が２００６年３月３１日の場合は、ＩＣシート（ＩＣカード）位置が１：表紙、暗号化設定が１：あり、一括読出し設定が１：あり、であることがわかる。また、そのような設定項目が将来増えることを想定して予備領域を準備しておくこともできる。
【００３５】
次に、図８及び図９に示すフローチャートを参照して、本旅券読取システムによるＩＣ旅券の読取処理について説明する。
【００３６】
旅券読取装置１２０（カメラ１２１）は、載置されたＩＣ旅券２００又は３００のＯＣＲ読取領域２０２ａ又は３０２ａを読み取り（ＳＴ１）、制御部１１０は、読み取られた画像データに含まれる文字や数字等を認識し、ＩＣ旅券２００又は３００の国籍コード、発行年月日、有効期限満了日を特定する。さらに、制御部１１０は、国籍コード、発行年月日、有効期限満了日に基づき、各国対応情報（通信形態を制御するための制御情報）を取得する（ＳＴ２）。この時点で、ＩＣ旅券２００又は３００の通信形態を特定することができる。つまり、ＩＣ旅券２００又は３００のＩＣアンテナの位置を特定し、暗号化設定（暗号化設定の有り／無し）を特定し、情報読取方式（一括情報読取方式／分割情報読取方式）を特定することができる。
【００３７】
制御部１１０は、特定されたＩＣアンテナの位置に対応する最適なアンテナ位置の選択を制御する。これに対応して、ＩＣリーダ１２２は、第１のアンテナ１２２ａ又は第２の１２２ｂのどちらかを選択し（ＳＴ３）、通信の初期化処理を行う（ＳＴ４）。ここで通信エラーになると（ＳＴ５、ＹＥＳ）、アンテナ位置を変更する（ＳＴ６）。それでも、通信エラーになる場合は（ＳＴ６、ＹＥＳ）、エラーが案内表示される（ＳＴ２５）。
【００３８】
通信の初期化処理が正常に終了し（ＳＴ５、ＮＯ）（ＳＴ７、ＮＯ）、暗号化設定が「あり」の場合は（ＳＴ８、ＮＯ）、制御部１１０は暗号化設定ありを指示し、ＩＣリーダ１２２は暗号化通信でアクセス認証とファイル選択を行う（ＳＴ９）。ここでエラーの場合は（ＳＴ１０、ＹＥＳ）、制御部１１０は暗号化設定なしを指示し、ＩＣリーダ１２２は非暗号化通信でファイル選択を行う（ＳＴ１１）。それでもエラーの場合は（ＳＴ１２、ＹＥＳ）、エラーが案内表示される（ＳＴ２５）。暗号化設定が「なし」の場合は（ＳＴ８、ＹＥＳ）、制御部１１０は暗号化設定なしを指示し、ＩＣリーダ１２２は非暗号化通信でファイル選択を行う（ＳＴ１３）。ここでエラーの場合は（ＳＴ１４、ＹＥＳ）、制御部１１０は暗号化設定ありを指示し、ＩＣリーダ１２２は暗号化通信でアクセス認証とファイル選択を行う（ＳＴ１５）。それでもエラーの場合は（ＳＴ１６、ＹＥＳ）、エラーが案内表示される（ＳＴ２５）。
【００３９】
ファイル選択が正常に終了し（ＳＴ１０、ＮＯ）（ＳＴ１２、ＮＯ）（ＳＴ１６、ＮＯ）、一括読出し設定が「あり」の場合は（ＳＴ１７、ＮＯ）、制御部１１０は一括読出しを指示し、ＩＣリーダ１２２は一括読出しでファイル読出しを行う（ＳＴ１８）。ここでエラーの場合は（ＳＴ１９、ＹＥＳ）、制御部１１０は逐次読出し（分割読出し）を指示し、ＩＣリーダ１２２は逐次読出しでファイル読出しを行なう（ＳＴ２０）。一括読出し設定が「なし」の場合は（ＳＴ１７、ＹＥＳ）、制御部１１０は逐次読出しを指示し、ＩＣリーダ１２２は逐次読出しでファイル読出しを行なう（ＳＴ２０）。ＩＣリーダ１２２は、逐次読出し後に全データ読出しできているかチェックし（ＳＴ２１）、未完了の場合は（ＳＴ２１、ＮＯ）、継続読出しを行い（ＳＴ２２）、全データ読出しチェックに戻る。
【００４０】
データの読出しが完了したら（ＳＴ１９、ＮＯ）（ＳＴ２１、ＹＥＳ）、引き続き制御部１１０は、ＩＣ内の電子署名を検証し（ＳＴ２３）、読出したデータと検証結果を画面に表示して（ＳＴ２４）、一連の処理を終了する。
【００４１】
以上により、ＩＣ旅券のような生体情報をＩＣに記録したＩＤや証明書に関して、ＩＣ旅券の券面に印字されている文字情報の国籍、発行年月日、あるいは有効年月日から各国対応情報を読出し、アンテナ位置設定、暗号化設定、一括読出し設定等を入手する。それらの情報を使用して、そのＩＣ旅券に合ったアンテナ位置、仕様・順序で通信を実施する。つまり、ＩＣ旅券のＩＣ位置が、表紙、パーソナルデータページ、センターページ、裏表紙、のいずれにあるのかを判断して、最適な位置のアンテナでＩＣ旅券の読取りを行う。また、ＩＣ旅券とＩＣ旅券リーダ間で「アクセス制御と暗号化通信」を行うかどうかについて最適な選択を行う。さらに、ＩＣ旅券とＩＣ旅券リーダ間で「データ読み出しをオプションの一括読み出し」するかどうかについて最適な選択を行う。これらにより、各種エラーを回避することで通信時間を削減し、読取り性能の向上を図ることができる。また、各国のＩＣ旅券仕様が変った場合でも、発行年月日で区別して異なる対応を実施することができる。
【００４２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４３】
【図１】本発明の第１の実施形態に係る旅券読取システムの概略構成を示すブロック図である。
【図２】本発明の第２の実施形態に係る旅券読取システムの概略構成を示すブロック図である。
【図３】ＩＣ旅券の一例を示す図である。
【図４】ＩＣ旅券のパーソナルデータページの一例を示す図である。
【図５】ＩＣ旅券に取り付けられるＩＣチップに記録される情報の一例を示す図である。
【図６】旅券読取システムを構成する旅券読取装置の概略構成を示す図である。
【図７】各国対応情報（制御情報）の一例を示す図である。
【図８】旅券読取システムによるＩＣ旅券の読取処理の一例を説明するフローチャートである。
【図９】旅券読取システムによるＩＣ旅券の読取処理の一例を説明するフローチャートである。
【符号の説明】
【００４４】
１００…旅券読取システム、１１０…制御部、１２０…旅券読取装置、１２１…カメラ、１２２…ＩＣリーダ、１２２ａ…第１のアンテナ、１２２ｂ…第２のアンテナ、２００、３００…ＩＣ旅券
【図１】
2007249799.tif 000003
【図２】
2007249799.tif 000004
【図３】
2007249799.tif 000005
【図４】
2007249799.tif 000006
【図５】
2007249799.tif 000007
【図６】
2007249799.tif 000008
【図７】
2007249799.tif 000009
【図８】
2007249799.tif 000010
【図９】
2007249799.tif 000011